(57)【要約】【課題】建物内の一部に、外部に通じる収納所と部屋内に通じる収納所とをそれぞれ設けることによって、物品の用途に合わせた収納が可能な使い勝手の良い収納空間を備えた建物を提供することを目的とする。【解決手段】１階の床１の一部の上に、中間床２が設けられており、この中間床２と１階の床１との間が収納空間３とされた建物Ａにおいて、前記収納空間３を内壁４によって複数の収納所５、６に分割し、これら収納所５、６のうちの少なくとも一つの収納所５には、外部へ通じる出入り口５ａを設け、他の収納所６には１階の部屋Ａ１に通じる出入り口６ａを設けることを前記課題の解決手段とした。【選択図】図１
2006009459.tif 000002
【特許請求の範囲】
【請求項１】
1階の床の一部の上に、中間床が設けられており、この中間床と1階の床との間が収納空間とされた建物において、
前記収納空間は内壁によって複数の収納所に分割されており、これら収納所のうちの少なくとも一つの収納所には、外部へ通じる出入り口が設けられており、他の収納所には１階の部屋に通じる出入り口が設けられていることを特徴とする建物。
【請求項２】
請求項１に記載の建物において、
前記収納所の外部にデッキスペースが設けられ、かつ、このデッキスペースが１階の部屋の開口部に面して設けられていることを特徴とする建物。
【請求項３】
請求項２に記載の建物において、
前記収納所の床面と、前記デッキスペースの床面と、前記１階の部屋の床面とは、ほぼ等しい高さ位置に設けられていることを特徴とする建物。
【請求項４】
請求項１に記載の建物において、
前記他の収納所の床面と、この収納所に通じる１階の部屋の床面とは、ほぼ等しい高さ位置になるように設けられていることを特徴とする建物。
【請求項５】
請求項１〜４のいずれか一項に記載の建物において、
前記収納空間の天井高は、０．９ｍ〜１．４ｍに設定されていることを特徴とする建物。
【発明の詳細な説明】
【技術分野】
【０００１】
本発明は、１階の床と、この１階の床の一部の上に設けられた中間床との間が収納空間とされた建物に関する。
【背景技術】
【０００２】
従来より、住宅等の建物において物品を保管、収容する場所として、建物内部には押入や納戸、床下収納庫、小屋裏収納部、天井裏収納部等の収納スペースが設けられ、また、屋外には物置等が設置されることがある。
【０００３】
しかし、近年における生活の質の向上や多様化に伴い、生活に使用する物品が多種多様化および多数化する傾向にあり、これらの物品を保管、収容するために従来の収納スペースでは広さや容量が不足し、また、建物が建てられる敷地の有効利用という観点から、屋外物置等の設置は望ましくないため、その内部により大きな収納スペースを備えた建物が望まれていた。
【０００４】
このような要望に対して、本出願人は、建物の内部に大型収納空間を設けるとともに、この収納空間と同じ床レベルの居室を隣接して設け、さらに、当該居室に収納空間への出入り口を設けた建物を提案した（特許文献１参照）。
【０００５】
前記特許文献１に示す建物は、上階の床と下階の床との間のスキップ床の床レベルに収納空間を設けるため、上階の荷物と下階の荷物のいずれを収納空間へ出し入れする場合にも便利であった。
【特許文献１】特開２００４−１１３３６号公報
【発明の開示】
【発明が解決しようとする課題】
【０００６】
ところが、建物内部に設けられた収納空間に対して、例えばアウトドア用品等、建物の外部で使用する物品を収納する際には、玄関から部屋、階段等を通過して前記居室まで運ばなければならず、使い勝手が良くない場合があった。そこで、建物の外部で使用する物品と、建物の中で使用する物品とを分割して収納することができる収納空間の開発が望まれていた。
【０００７】
本発明の課題は、建物内の一部に、外部に通じる収納所と部屋内に通じる収納所とをそれぞれ設けることによって、物品の用途に合わせた収納が可能な使い勝手の良い収納空間を備えた建物を提供することを目的とする。
【課題を解決するための手段】
【０００８】
請求項１記載の発明は、例えば図１または図２に示すように、１階の床１の一部の上に、中間床２が設けられており、この中間床２と１階の床１との間が収納空間３とされた建物Ａにおいて、
前記収納空間３を内壁４によって複数の収納所５、６に分割し、これら収納所５、６のうちの少なくとも一つの収納所５には、外部へ通じる出入り口５ａを設け、他の収納所６には１階の部屋Ａ１に通じる出入り口６ａを設けることを前記課題の解決手段とした。
【０００９】
請求項１記載の発明によれば、前記収納空間３を内壁４によって複数の収納所５、６に分割し、これら収納所５、６のうちの少なくとも一つの収納所５には、外部へ通じる出入り口５ａを設け、他の収納所６には１階の部屋Ａ１に通じる出入り口６ａを設けることによって、１階の床１上の一部の収納空間３内において、建物Ａの外部で使用する物品を、外部と通じる前記収納所５に収納し、建物Ａの内部で使用する物品を、１階の部屋Ａ１内と通じる前記他の収納所６に収納することができるので、それぞれの物品の使用場所や用途に合わせた収納が可能となり使い勝手が良い。
【００１０】
請求項２記載の発明は、例えば図１または図２に示すように、請求項１に記載の建物Ａにおいて、
前記収納所５の外部にデッキスペース７を設け、かつ、このデッキスペース７を１階の部屋Ａ１の開口部８に面して設けることを前記課題の解決手段とした。
【００１１】
請求項２記載の発明によれば、収納所５の外部に、１階の部屋Ａ１の開口部８に面したデッキスペース７を設けることによって、このデッキスペース７を通って１階の部屋Ａ１と収納所５との間を行き来することができるので、物品の搬入や搬出作業がし易く使い勝手が良い。
【００１２】
請求項３記載の発明は、例えば図１に示すように、請求項２に記載の建物Ａにおいて、
前記収納所５の床面５ｂと、前記デッキスペース７の床面７ａと、前記１階の部屋Ａ１の床面１とを、ほぼ等しい高さ位置に設けることを前記課題の解決手段とした。
【００１３】
請求項３記載の発明によれば、前記収納所５の床面５ｂと、前記デッキスペース７の床面７ａと、前記１階の部屋Ａ１の床面１とを、ほぼ等しい高さ位置に設けるので、従来とは異なり、収納すべき物品を持ったまま階段の昇り降りをする必要もなく、ほぼ等しい高さ位置の床面を移動するだけで済み、例えば比較的重量な物品等でも収納し易く使い勝手が良い。
【００１４】
請求項４記載の発明は、例えば図３に示すように、請求項１に記載の建物Ａにおいて、
前記他の収納所６の床面６ｂと、この収納所６に通じる１階の部屋Ａ１の床面１とを、ほぼ等しい高さ位置になるように設けることを前記課題の解決手段とした。
【００１５】
請求項４記載の発明によれば、前記他の収納所６の床面６ｂと、前記１階の部屋Ａ１の床面１とをほぼ等しい高さ位置になるように設けるので、物品の搬入および搬出作業がし易く、使い勝手が良い。
【００１６】
請求項５記載の発明は、例えば図２または図３に示すように、請求項１〜４のいずれか一項に記載の建物Ａにおいて、
前記収納空間３の天井高Ｈを、０．９ｍ〜１．４ｍに設定することを前記課題の解決手段とした。
【００１７】
請求項５記載の発明によれば、前記収納空間３の天井高Ｈを、０．９ｍ〜１．４ｍに設定することによって、人が前記収納空間３に入って、何とか作業ができる最低限の高さを確保でき、また、このように天井高Ｈを必要最小限に抑えることで、建物Ａの高さが高くなることによって隣接する建物に及ぼす日照減少等の影響を極力少なくすることができる。
【発明の効果】
【００１８】
本発明によれば、１階床上の一部の収納空間内において、建物外部で使用する物品を外部と通じる収納所に収納し、建物内部で使用する物品を１階の部屋内と通じる他の収納所に収納することができるので、それぞれの物品の使用場所や用途に合わせた収納が可能となり使い勝手が良い。
また、これら各収納所の床面と、１階の部屋の床面とを、ほぼ等しい高さ位置になるように設けるので、物品の搬入および搬出作業がし易く、さらに使い勝手が良い。
しかも、収納空間の天井高を、０．９ｍ〜１．４ｍに設定することによって、人が収納空間に入って、何とか作業ができる最低限の高さを確保できるとともに、隣接する建物に及ぼす日照減少等の影響を極力少なくすることができる。
【発明を実施するための最良の形態】
【００１９】
以下、図面を参照して本発明に係る建物Ａの実施の形態について説明する。
【００２０】
本実施の形態の建物Ａは、図１または図２に示すように、1階の床１の一部の上に、中間床２が設けられており、この中間床２と1階の床１との間が収納空間３とされている。そして、前記収納空間３は内壁４によって複数の収納所５、６に分割されており、これら収納所５、６のうちの少なくとも一つの収納所５には、外部へ通じる出入り口５ａが設けられており、他の収納所６には１階の部屋Ａ１に通じる出入り口６ａが設けられている。
また、前記収納所５の外部にはデッキスペース７が設けられており、さらに、このデッキスペース７は１階の部屋Ａ１の開口部８に面している。
【００２１】
前記１階の部屋Ａ１は、図１に示すように、建物Ａの１階部分であり、この建物Ａは、例えば周知のパネル工法によって構築されている。
なお、本実施の形態では、この１階の部屋Ａ１の間取りは、前記他の収納所６に隣接してキッチン１ａがあり、前記収納所５に壁を介して隣接するダイニング１ｂがあり、前記キッチン１ａおよびダイニング１ｂに連続してリビング１ｃが設けられている。また、これらキッチン１ａ、ダイニング１ｂ、リビング１ｃおよび収納所５、他の収納所６は連続する１階の床面１上において形成されている。
【００２２】
なお、本実施の形態の建物Ａは以上のような間取りで構成されているが、これに限られるものではなく、例えば、前記収納空間３が内壁４によって３つ以上の収納所に分割されている等、本発明の要旨を逸脱しない範囲で適宜変更可能である。
【００２３】
前記中間床２は、図２に示すように、１階の床１のほぼ右側半分上に設けられており、この中間床２と１階の床１との間が収納空間３とされている。なお、この中間床２の上部は、図示はしないが、２階の部屋や収納スペースとして使用することができる。
【００２４】
前記収納空間３は、図１に示すように、内壁４によって複数の収納所５、６に分割されており、図２および図３に示すように、所定の天井高Ｈに設定されている。
【００２５】
一方、この収納空間３は、前述したように、１階の床１の一部上にあるので、この収納空間３の床面５ｂ、６ｂにおいても、１階の部屋Ａ１の床面１と同じ高さ位置となっている。
【００２６】
また、前述のように本実施の形態では、この収納空間３は内壁４によって、前記収納所５と前記他の収納所６とに分割されており、これら収納所５、６は、その天井高Ｈが１．４ｍに設定されている。
【００２７】
なお、本実施の形態では天井高Ｈを１．４ｍとしたが、０．９ｍ〜１．４ｍの高さ範囲であれば、これに限られるものではない。
【００２８】
ここで、０．９ｍ〜１．４ｍの天井高Ｈとは、人が前記収納空間３に入って、何とか作業ができる最低限の高さを確保するための高さ範囲であり、かつ、このように天井高Ｈを必要最小限に抑えることで、建物Ａの高さが高くなることによって隣接する建物に及ぼす日照減少等の影響を極力少なくすることができる高さ範囲である。
【００２９】
前記収納所５は、前記収納空間３が内壁４で分割された際の一方の収納所５であり、すなわち、前記収納空間３と同様に、１階の床１の一部の上に、中間床２が設けられており、この中間床２と１階の床１との間に設けられているとともに、天井高Ｈは１．４ｍに設定されている。また、この収納所５の外部には、１階の部屋Ａ１の開口部８に面するように、デッキスペース７が設けられている。
【００３０】
さらに、この収納所５にはデッキスペース７へ通じる出入り口５ａが設けられており、この出入り口５ａとしては、本実施の形態では、引戸の形状の扉５ｃが設けられている。
【００３１】
そして、この収納所５の床面５ｂと前記デッキスペース７の床面７ａとは、ほぼ同じ高さ位置に設けられており、物品の搬入や搬出がし易い構造となっている。
【００３２】
なお、前記扉５ｃの形態は、これに限られるものではなく任意であるが、この収納所５の出入り口５ａは外部に面しているので、施錠が可能な扉５ｃを取り付けることが好ましい。
【００３３】
前記他の収納所６は、図１または図２に示すように、前記収納空間３が内壁４によって分割された際の他方の収納所６であり、すなわち、前記収納空間３と同様に、１階の床１の一部の上に、中間床２が設けられており、この中間床２と１階の床１との間に設けられているとともに、天井高Ｈは前記収納所５と同様に、１．４ｍに設定されている。
【００３４】
また、この他方の収納所６には、１階の部屋Ａ１に通じる出入り口６ａが設けられており、この出入り口６ａとしては、本実施の形態では、引戸の形式の扉６ｃが設けられている。なお、扉６ｃの形態は、これに限られるものではなく任意である。
【００３５】
また、前記他の収納所６の床面６ｂと、前記１階の部屋Ａ１の床面１とはほぼ同じ高さ位置に設定されており、物品の搬入および搬出作業がし易い。図１に示すように、本実施の形態では該他の収納所６はキッチン１ａに面して設けられており、例えば、該他の収納所６を食料品貯蔵のためのパントリーとして設けたり、キッチン１ａ用の可動式ワゴンなどを収納しておいたり等、使い勝手の良い構造となっている。
【００３６】
前記デッキスペース７は、図１〜図３に示すように、食事やホームパーティー、ガーデニング等を行うための多目的空間として知られるものであり、建物外部や、２階バルコニー等に設けられる。
【００３７】
本実施の形態では、複数の支脚７ｂ上に複数の床材７ｃが敷設されて形成されており、前記収納所５と前記１階の部屋Ａ１とに面して設けられている。また、このデッキスペース７に面する１階の部屋Ａ１には開口部８が設けられており、この開口部８を通って部屋Ａ１とデッキスペース７とを行き来できる構造となっている。
【００３８】
さらに、このデッキスペース７は、その床面７ａが前記収納空間３の床面５ｂ、６ｂおよび前記１階の部屋Ａ１の床面１と同じ高さ位置に設けられている。すなわち、このデッキスペース７を介して、前記収納所５から前記１階の部屋Ａ１の行き来がし易い構造となっており、例えば、１階の部屋Ａ１から前記収納所５に物品を搬入する際にも、階段等の大きい段差がなく収納作業が容易になる。また、前記収納所５から１階の部屋Ａ１に物品を搬出する際にも難無く運び出すことができる。
【００３９】
このように、収納所５の外部に、１階の部屋Ａ１の開口部８に面したデッキスペース７を設けることによって、このデッキスペース７を通って１階の部屋Ａ１と収納所５との間を行き来することができるので、物品の搬入や搬出作業がし易く使い勝手が良い。
【００４０】
また、前記収納所５の床面５ａと、前記デッキスペース７の床面７ａと、前記１階の部屋Ａ１の床面１とを、ほぼ等しい高さ位置に設けるので、従来とは異なり、収納すべき物品を持ったまま階段の昇り降りをする必要もなく、ほぼ等しい高さ位置の床面を移動するだけで済み、例えば比較的重量な物品等でも収納し易く使い勝手が良い。
【００４１】
以上のような構成の建物Ａによれば、１階の床１上の一部の収納空間３内において、建物Ａ外部で使用する物品を外部と通じる収納所５に収納し、建物Ａ内部で使用する物品を１階の部屋Ａ１内と通じる他の収納所６に収納することができるので、それぞれの物品の使用場所や用途に合わせた収納が可能となり使い勝手が良い。
また、これら各収納所５、６の床面５ａ、６ａと、１階の部屋Ａ１の床面１とを、ほぼ等しい高さ位置になるように設けるので、物品の搬入および搬出作業がし易く、さらに使い勝手が良い。
しかも、収納空間３の天井高Ｈを、０．９ｍ〜１．４ｍに設定することによって、人が収納空間３に入って、何とか作業ができる最低限の高さを確保できるとともに、隣接する建物に及ぼす日照減少等の影響を極力少なくすることができる。
【図面の簡単な説明】
【００４２】
【図１】本発明の建物の、１階の主要部分の間取り図である。
【図２】本発明の建物の側断面図である
【図３】図１に示す建物のＢ−Ｂ線矢視断面図である。
【符号の説明】
【００４３】
Ａ  建物
Ａ１  １階の部屋
Ｈ  天井高
１  １階の床
２  中間床
３  収納空間
４  内壁
５  収納所
６  他の収納所
７  デッキスペース
【図１】
2006009459.tif 000003
【図２】
2006009459.tif 000004
【図３】
2006009459.tif 000005